(57)【要約】【課題】安全確実に郵便物等を収容できる郵便受けを提供する。【解決手段】柔軟性を有する透視性素材にて袋体を形成し、該袋体上部に開口部を設けるとともに、袋体側面適所に適当長のスライドファスナーを設けたことを特徴とする。【選択図】図４
2010284476.tif 000002
【特許請求の範囲】
【請求項１】
柔軟性を有する透視性素材にて袋体を形成し、該袋体上部に開口部を設けるとともに、袋体側面適所に適当長のスライドファスナーを設けたことを特徴とする郵便受け袋体。
【請求項２】
開口部上縁近傍に面ファスナーを設けてなる請求項１記載の郵便受け袋体。
【請求項３】
開口部上縁近傍に吊下保持部を設けてなる請求項１記載の郵便受け袋体。
【発明の詳細な説明】
【技術分野】
【０００１】  この発明は、袋状の郵便受けに関する。
【背景技術】
【０００２】  従来より、多種多様な郵便受けが利用されているが、本発明にて示すような袋状の郵便受けは見あたらない。
【発明の開示】
【発明が解決しようとする課題】
【０００３】  郵便受けは、配達される郵便物や新聞等を一時ストックする目的で建物に付随して設けられている。これには、玄関やドアに付属されるものと、建物近傍に別設される箱形タイプに大別される。前者の場合、玄関ドアや引き戸もしくはこれらの近傍に蓋付き開口部を設け、この開口部内側に箱状体を設け、配達されたものをこの箱内にストックするのが従来からの一般的な郵便受けスタイルである。配達者は郵便物等をこの蓋に押しあて、蓋が開いて郵便物は差し込まれて箱内に落下する。しかし、新聞や大型封筒などの場合は、箱厚より長いため、これらの配達物はその一部が露出して開口部に位置し、取り出しにくい上に雨水等が降りかかって濡れてしまうことがある。また、数日間留守にすると、この差し込まれた配達物が複数重なって露出し、不在状態が外部から容易に認識されるために、防犯上好ましくないという問題がある。
本発明は以上のような従来からの郵便受けに関わる課題を解決するために発明されたもので、配達された郵便物等をすべて収納できるとともに、その取り出しも容易なる新規かつ有用なる物品を提供することを目的として開発されたものである。
【課題を解決するための手段】
【０００４】  課題を解決する手段として本発明は以下の構成とした。
すなわち、柔軟性を有する透視性素材にて袋体を形成し、該袋体上部に開口部を設けるとともに、袋体側面適所に適当長のスライドファスナーを設ける。本発明は以上の構成よりなる郵便受け袋体である。なお、袋体開口部近傍に面ファスナーを設けて構成してもよい。
【発明の効果】
【０００５】  本発明は下記の効果を有する。
１．郵便受け口内方周囲に、柔軟性を有する袋体開口部が係着されて位置するので、差し  込まれた郵便物等のサイズ・形状に対応でき、落下したときの郵便物等を袋体内に収容  保持することができる。
２．透視性素材にて袋体を形成することにて、収容状態を容易に視認することができ、ス  ライドファスナーを用いたので、その取り出しも容易である。
３．袋体適所に不透明布体を用い、あるいは不透明シートを袋体に貼着もしくは粘着させ  ることにて、郵便受け口蓋を開いての室内状況把握および郵便物貯留量の他者による視  認を防ぐことができる。
【発明を実施するための最良の形態】
【０００６】  以下、本発明の実施形態について説明する。
図において、１は袋本体で、柔軟性に富むネットにて形成され、その上部には開口部２が、袋体前方側面中間部にはスライドファスナー３が袋本体を横断して各々設けられる。
袋本体前方内面上縁には上部面ファスナー４が、袋本体後方内面の開口部直下位置には下部面ファスナー５が各々縫着される。また、開口部両側端内面には側部面ファスナー６が各々縫着される。なお、面ファスナーを袋本体開口部近傍外面に設けることもできる。
以上が本発明の第一例である。
本発明の使用に際しては、図４〜図５に示すように、スライドファスナー側を手前とし、開口部を適宜に開く。郵便受け口の室内側上方と下方および側方にはあらかじめ面ファスナーが粘着されているので、開口した袋体の面ファスナーを該面ファスナーに押しつけて係着させることにて、図４のように郵便受け口の周囲に袋体の開口部が係着されて位置し、袋体の他部は垂れ下がって位置する。この状態にて、新聞や郵便物が郵便受け口から差し込まれると、この袋は新聞等を覆って位置するので、スライドファスナーを開けて取り出すことができ、該ファスナーを元に戻すことにて初期状態となる。
また、新聞等が郵便受け口を通過したときは、そのまま袋内に落下するので、同様にして容易に取り出すことができる。
本例は、面ファスナーによる係着方式としたので、必要に応じて袋体を取り外して交換することができる。なお、以上の例で用いた袋体は長方形状としたが、図２の仮想線にて示すように、下方を幅狭としてもよく、この場合は落下した郵便物等が左右寄りとなったとき、袋体の斜方内面に沿って落下するので、袋体の中央寄りの位置とすることができる。また、本例のような面ファスナー利用とせず、単にスライドファスナーを有する袋体として、図７のごとく、市販の粘着テープ１０にて袋体開口部を郵便受け口を囲むように粘着させて用いる方式としてもよい。【０００７】  また、図８のように、吊下保持部として、袋体開口部四隅に環状ひも１１を逢着して設け、市販の舌片を有する粘着剤付きフック１２を郵便受け口周囲に粘着させ、ここに該ひもを引っ掛けて吊下保持する方式としてもよい。また、ひもに代えて金属等による環体を用いてもよい。図１４はスポンジによるクッション材をフックに粘着させた例である。
これは、郵便物等を袋体より取り出すとき、袋体を持ち上げるが、このときにひもがフックから外れることを防止するためのもので、クッション材を舌片内面に接触させて設けることにて、ひもの離脱が防止できる。
図９〜図１２は本発明の他例を示すものである。
既述の例は、袋本体をネットにて形成したが、図９は袋体前側の上部を縫着にて不透明布体１３としたものである。本例を用いた場合、郵便受け口の蓋を押し込んで覗かれても、この不透明布体により玄関内の視覚的把握を不能としたもので、防犯面を考慮した例である。また、図１０はこれに加えて袋体後面全面にも不透明布体１４を用いたもので、たとえば郵便受け口の上下がガラス面などの透視性材料にて形成されている場合、外部から郵便物の貯留量が把握されることがあるので、これを防止する目的で設けたものである。
図１１〜図１２は、袋本体をネットにて形成しておき、粘着剤付き不透明シート１５を該袋体適所に粘着させたものであり、効果は前例と同様である。
図１３はスライドファスナーに代えて、ネットの横方向両端非固定重層部分を横方向に設けたものである。すなわち、袋本体前方ネットを横二分割とし、前方ネットの上部下端近傍に下部ネット上縁を重ねたもので、使用時はこの重層部分より手を差し入れて使用するものである。  なお、重層部分を縦方向に設けてもよい。
図１５は本発明の変化例を示すもので、袋体前側に比べて後側上縁をやや下方に位置させるとともに、後側上縁より下方に所定寸法だけ遊離部分を設けたものである。面ファスナーにて郵便受け口に係着させたとき、既述の例では郵便受け口より差し込まれた新聞等はまず袋体の前側布片に当接して押し上げながら挿入されるが、このとき袋体側部も同時に持ち上げることとなって抵抗を受けるが、本例スタイルでは袋体の一部が遊離しているので、この抵抗を少なくすることができる。また、袋体開口部上縁位置を相互に離しているので、面ファスナー係着時に袋体は自然に垂れ下がってスッキリとしたものとすることができる。なお、本例では袋体前部の上部と後部全面に不透明布片を縫着しており、既述の効果が得られる。
以上、本発明について記したが、本発明は透視性素材による袋体を郵便受け口周囲に位置させたところにその特徴を有し、配達物を安定収容するとともに、その取り出しを容易とするものである。従来はこのような物品がなく、既述のような箱体を備える方式のため、配達物のサイズによっては未収納部分が生じて雨水などの影響を受けるものであった。
また、市販の後付用カゴもあるが、これとても同様に未収納部分が生じ、また、多数の配達物が同時になされたときなど、その一部がカゴに収まることなく床に落下することもしばしばであった。しかるに、本発明では袋体としたので、以上のような不便さを解消できるものとなったのである。【０００８】  なお、既述の例では袋本体をネットにて形成したが、薄手の透視性布体や合成樹脂シートにて形成してもよい。面ファスナーは上部と下部のみにて側方部分を用いずに製作してもよい。あるいは開口部近傍外面に面ファスナーを設けてもよい。また、図示のようなスライドファスナーを横方向に設ける方式に代えて縦方向に設けてもよい。なお、スライドファスナー長は袋本体を横又は縦に横断する長さが好ましい。また、面ファスナーに代えて粘着層を設けてもよく、この場合はあらかじめドア等に面ファスナーを設ける必要がなく、剥離紙を除去して粘着させればよい。郵便受け口のサイズは一定ではないが大きな差はないので、本発明品のサイズは自ずから定まる。実験によれば、袋本体の横方向サイズは２１０ｍｍから３６０ｍｍが適当であり、好ましくは２３０ｍｍから３４０ｍｍである。また縦方向サイズは３８０ｍｍから５５０ｍｍが適当であり、好ましくは４５０ｍｍから５５０ｍｍである。
この範囲内のサイズでは小さめの選定にしても新聞四つ折りおよびＡ４用封筒縦二つ折りが収納でき、大きめのサイズではさらに新聞縦二つ折りが収納できる。
本発明品はネットや布体等にて形成された柔軟性物品のため、その製作コストも安価にでき、布体前面に任意形状のワッペンやシール等を貼着することにより、よりファッショナブルなものとすることができる。なお、既述の例は実施の一例であり、近似の他の構成としてもよい。以上のごとく、本発明によってより快適に使用できる郵便受け用の物品を得ることができる。
【図面の簡単な説明】
【０００９】
【図１】  本発明の平面図
【図２】  本発明の正面図
【図３】  本発明の左側面図
【図４】  本発明の装着状態説明図（側面視）
【図５】  本発明の装着状態説明図（正面視）
【図６】  本発明の内部構造説明図
【図７】  本発明の他例説明図（装着時正面視）
【図８】  本発明の他例説明図（装着時正面視）
【図９】  本発明の他例説明図
【図１０】  本発明の他例説明図
【図１１】  本発明の他例説明図
【図１２】  本発明の他例説明図
【図１３】  本発明の他例説明図
【符号の説明】
【００１０】  １    袋本体
２    開口部
３    スライドファスナー
４    上部面ファスナー
５    下部面ファスナー
６    側部面ファスナー
７    郵便受け口
１０  粘着テープ
１１  環状ひも
１２  粘着剤付きフック
１３  不透明布体
１４  不透明布体
１５  不透明シート
１６  不透明シート
１７  重層部
１８  クッション材
１９  遊離部
【図１】
2010284476.tif 000003
【図２】
2010284476.tif 000004
【図３】
2010284476.tif 000005
【図４】
2010284476.tif 000006
【図５】
2010284476.tif 000007
【図６】
2010284476.tif 000008
【図７】
2010284476.tif 000009
【図８】
2010284476.tif 000010
【図９】
2010284476.tif 000011
【図１０】
2010284476.tif 000012
【図１１】
2010284476.tif 000013
【図１２】
2010284476.tif 000014
【図１３】
2010284476.tif 000015
【図１４】
2010284476.tif 000016
【図１５】
2010284476.tif 000017
【手続補正書】
【提出日】平成21年7月27日(2009.7.27)
【手続補正１】
【補正対象書類名】明細書
【補正対象項目名】０００９
【補正方法】変更
【補正の内容】
【０００９】
【図１】  本発明の平面図
【図２】  本発明の正面図
【図３】  本発明の左側面図
【図４】  本発明の装着状態説明図（側面視）
【図５】  本発明の装着状態説明図（正面視）
【図６】  本発明の内部構造説明図
【図７】  本発明の他例説明図（装着時正面視）
【図８】  本発明の他例説明図（装着時正面視）
【図９】  本発明の他例説明図
【図１０】  本発明の他例説明図
【図１１】  本発明の他例説明図
【図１２】  本発明の他例説明図
【図１３】  本発明の他例説明図
【図１４】  本発明他例の要部説明図
【図１５】  本発明の他例説明図